(57)【特許請求の範囲】
【請求項１】
電子機器であって、
前面にディスプレイを有するディスプレイ筐体と、
電子基板を搭載し、前記ディスプレイ筐体の後面側に配置された本体筐体と、
前記ディスプレイ筐体と前記本体筐体との間を、互いの下端面同士の距離が変化する方向に回動可能に連結したヒンジ部と、
前記ディスプレイ筐体の下端面に設けられた第１脚部と、
前記本体筐体の下端面に設けられ、前記第１脚部と摩擦係数が異なる材質で形成された第２脚部と、
を備え、
前記第２脚部は、前記第１脚部よりも摩擦係数の小さい材質で形成され、
前記第１脚部の下面は、前記ディスプレイ筐体の後面から前面に向かう方向に沿って次第に下方に傾斜した傾斜面で形成され、
前記第２脚部の下面は、円弧状の曲面で形成されていることを特徴とする電子機器。
【請求項２】
請求項１に記載の電子機器であって、
前記第１脚部は、ゴム製であり、
前記第２脚部は、自己潤滑性を有する樹脂製であることを特徴とする電子機器。
【請求項３】
請求項１又は２に記載の電子機器であって、
前記ディスプレイ筐体の上下方向の高さ寸法は、前記本体筐体の上下方向の高さ寸法よりも大きく構成され、
前記ヒンジ部は、前記ディスプレイ筐体の後面における上下方向で中央よりも上側、且つ上端部よりも下側の位置と、前記本体筐体の上端部と、の間を連結していることを特徴とする電子機器。
【請求項４】
請求項１〜３のいずれか１項に記載の電子機器であって、
前記ディスプレイ筐体よりも前記本体筐体の重量が大きいことを特徴とする電子機器。
【請求項５】
請求項１〜４のいずれか１項に記載の電子機器であって、
前記本体筐体は、スピーカ装置を搭載しており、
前記スピーカ装置は、前記本体筐体の側面から側方を指向するように配置されていることを特徴とする電子機器。
【発明の詳細な説明】
【技術分野】
【０００１】
本発明は、ディスプレイ筐体と本体筐体とを回動可能に連結した電子機器に関する。
【背景技術】
【０００２】
本出願人は、例えば非特許文献１において、ディスプレイ筐体と本体筐体とを一体的に構成した電子機器、いわゆるオールインワンデスクトップパソコンを提供している。この構成では、ディスプレイ筐体が本体筐体に対してヒンジを介して回動可能に連結されることで、ディスプレイの角度変更が可能となっている。
【先行技術文献】
【非特許文献】
【０００３】
【非特許文献１】”ＮＥＣ  ＬＡＶＩＥ公式サイト”，インターネット＜http://nec-lavie.jp/products/da/＞，［令和１年１１月２９日検索］
【発明の概要】
【発明が解決しようとする課題】
【０００４】
上記の電子機器は、本体筐体の下部前面にスピーカ装置や光学ドライブ装置を搭載しており、これらはディスプレイ筐体の下に見える位置にある。このため、この電子機器は、正面から見た際に、ディスプレイだけでなく、スピーカ装置や光学ドライブ装置が視界に入るため、ディスプレイに対する没入感を低下させる。
【０００５】
本発明は、上記従来技術の課題を考慮してなされたものであり、ディスプレイに対する没入感を高めることができる電子機器を提供することを目的とする。
【課題を解決するための手段】
【０００６】
本発明に係る電子機器は、電子機器であって、前面にディスプレイを有するディスプレイ筐体と、電子基板を搭載し、前記ディスプレイ筐体の後面側に配置された本体筐体と、前記ディスプレイ筐体と前記本体筐体との間を、互いの下端面同士の距離が変化する方向に回動可能に連結したヒンジ部と、前記ディスプレイ筐体の下端面に設けられた第１脚部と、前記本体筐体の下端面に設けられ、前記第１脚部と摩擦係数が異なる材質で形成された第２脚部と、を備える。
【０００７】
このような構成によれば、摩擦係数の大きな一方の脚部を支点とし、摩擦係数の小さな他方の脚部を載置面上で摺動させることで、ディスプレイの角度を容易に変更できる。この際、当該電子機器では、ディスプレイの調整角度に関わらず、ディスプレイ筐体が第１脚部のみを介して略直接的に載置面上に当接配置され、ユーザの視界に他の機器（スピーカ装置等）が入ることがない。このため、当該電子機器は、ディスプレイに対する没入感を高めることができる。
【０００８】
前記第２脚部は、前記第１脚部よりも摩擦係数の小さい材質で形成されていてもよい。そうすると、当該電子機器は、角度変更時に前側のディスプレイ筐体が移動しないため、その手前にあるキーボード装置等に干渉することがない。
【０００９】
前記第１脚部は、ゴム製であり、前記第２脚部は、自己潤滑性を有する樹脂製であるとよい。そうすると第１脚部は、高い安定性を確保でき、第２脚部は、良好な摺動性と耐摩耗性を確保できる。
【００１０】
前記第１脚部の下面は、前記ディスプレイ筐体の後面から前面に向かう方向に沿って次第に下方に傾斜した傾斜面で形成され、前記第２脚部の下面は、円弧状の曲面で形成された構成としてもよい。そうすると、第１脚部は、前下がりに傾斜した下面の前端部が支点となって載置面に当接する。これにより、第１脚部は、載置面に対する当接部が可及的に前側に配置され、当該電子機器の手前側への転倒が抑制される。また、第１脚部は、前端部の角部が支点となることで、第１脚部の載置面に対する支点が移動してしまうことが抑制されるため、ヒンジ部による筐体間の回動動作が安定する。
【００１１】
前記ディスプレイ筐体の上下方向の高さ寸法は、前記本体筐体の上下方向の高さ寸法よりも大きく構成され、前記ヒンジ部は、前記ディスプレイ筐体の後面における上下方向で中央よりも上側、且つ上端部よりも下側の位置と、前記本体筐体の上端部と、の間を連結した構成としてもよい。
【００１２】
前記ディスプレイ筐体よりも前記本体筐体の重量が大きい構成としてもよい。
【００１３】
前記本体筐体は、スピーカ装置を搭載しており、前記スピーカ装置は、前記本体筐体の側面から側方を指向するように配置された構成としてもよい。
【発明の効果】
【００１４】
本発明によれば、ディスプレイに対する没入感を高めることができる。
【図面の簡単な説明】
【００１５】
【図１】図１は、一実施形態に係る電子機器の模式的な斜視図である。
【図２Ａ】図２Ａは、ディスプレイ筐体と本体筐体との間の回動角度を最も小さくした状態での側面図である。
【図２Ｂ】図２Ｂは、ディスプレイ筐体と本体筐体との間の回動角度を最も大きくした状態での側面図である。
【図３】図３は、電子機器の下部を拡大した側面図である。
【図４】図４は、第１脚部の斜視図である。
【発明を実施するための形態】
【００１６】
以下、本発明に係る電子機器について好適な実施の形態を挙げ、添付の図面を参照しながら詳細に説明する。
【００１７】
図１は、一実施形態に係る電子機器１０の模式的な斜視図である。図２Ａ及び図２Ｂは、図１に示す電子機器１０の側面図である。図１〜図２Ｂに示すように、電子機器１０は、本体筐体１４と、ディスプレイ筐体１２と、ヒンジ部１６と、を備える。電子機器１０は、本体筐体１４とディスプレイ筐体１２とを一体的に構成した、いわゆるオールインワン型のデスクトップＰＣである。電子機器１０は、筐体１２，１４間をテント状に構成し、机上等の載置面１７上で起立させて使用する。電子機器１０は、ディスプレイ筐体１２と本体筐体１４との間がヒンジ部１６によって相対的に回動可能に連結されている。これにより電子機器１０は、ディスプレイ筐体１２の前面１２ａに設けたディスプレイ１８の角度を調整可能である（図２Ａ及び図２Ｂ参照）。
【００１８】
以下、電子機器１０について、ディスプレイ筐体１２の前方からディスプレイ１８を視認した状態を基準とし、手前側を前、奥側を後、幅方向を左右、高さ方向を上下、と呼んで説明する。
【００１９】
先ず、電子機器１０の全体構成を説明する。
【００２０】
図１〜図２Ｂに示すように、ディスプレイ筐体１２は、扁平な箱型の筐体である。ディスプレイ筐体１２は、本体筐体１４よりも前後方向の厚みが薄く、上下方向の高さ寸法が大きい構造となっている。ディスプレイ筐体１２の前面１２ａは、四周縁部を囲む枠状のベゼル１２ｂを除く大部分がディスプレイ１８である。ディスプレイ１８は、例えばタッチパネル式の液晶ディスプレイである。ディスプレイ筐体１２の下端面１２ｃには、左右一対の第１脚部２０が設けられている。
【００２１】
ディスプレイ筐体１２の右側の側面１２ｄには、光学ドライブ装置２１が搭載されている。光学ドライブ装置２１は、例えばＣＤ、ＤＶＤ、ＢＤ等の光学ディスクの記録再生装置である。光学ドライブ装置２１は、ディスプレイ筐体１２の左側の側面に設けられてもよい。
【００２２】
本体筐体１４は、ベース部２２と、膨出部２３と、を有する。本体筐体１４は、ディスプレイ筐体１２よりも重量が大きい構造である。
【００２３】
ベース部２２は、ディスプレイ筐体１２よりも前後方向の厚みが僅かに厚い扁平な箱型の筐体である。ベース部２２は、ディスプレイ筐体１２よりも上下方向の高さ寸法が小さく、ディスプレイ筐体１２と左右方向の幅寸法が略同一であるか又は多少小さい。ベース部２２の内部には、電子機器１０のマザーボードとなる電子基板２４が収容されている。電子基板２４は、ヒンジ部１６に通された図示しないケーブルでディスプレイ１８と接続されている。ベース部２２の内部には、さらに、図示しないハードディスク装置や冷却装置、バッテリ装置等の各種電子部品が搭載されている。ベース部２２の右側の側面２２ａには、複数の接続端子２５やイヤホンジャック２６等が設けられている。各接続端子２５は、例えばＵＳＢ規格やＨＤＭＩ（登録商標）規格に準拠した雌コネクタである。ベース部２２の下端面２２ｂには、左右一対の第２脚部２８が設けられている。
【００２４】
膨出部２３は、側面視台形状の箱型部分であり、ベース部２２の前面２２ｃから張り出すように設けられている。膨出部２３は、ベース部２２よりも前後方向の厚みが厚く、上下方向の高さ寸法及び左右方向の幅寸法が小さい。膨出部２３には、スピーカ装置３０が収容されている。スピーカ装置３０は、膨出部２３の右側の側面２３ａに形成された開口部２３ｂを介して当該電子機器１０の右側方に音を出力する。開口部２３ｂは、例えば並列した複数のスリットであるが、メッシュ構造等でもよい。図示は省略するが、スピーカ装置３０は、左右一対設けられている。つまり膨出部２３は、左側の側面にも開口部２３ｂと同様な開口部を有し、この開口部を介して図示しない左側のスピーカ装置３０が当該電子機器１０の左側方に音を出力する。
【００２５】
ヒンジ部１６は、第１連結部３２と、第２連結部３３と、ヒンジ軸３４と、を有する。第１連結部３２は、ディスプレイ筐体１２の後面１２ｅに固定され、後方に突出している。第１連結部３２は、後面１２ｅの上下方向で中央よりも上側、且つ上端部よりも下側の位置に設けられている。第２連結部３３は、本体筐体１４のベース部２２の前面２２ｃに固定され、前方に突出している。第２連結部３３は、前面２２ｃの上端部に設けられている。連結部３２，３３は、互いの先端部分同士が相対的に回転可能な状態で重なり合っている。ヒンジ軸３４は、左右方向に延在した金属シャフトである。ヒンジ軸３４は、連結部３２，３３間を相対的に回転可能に連結している。連結部３２，３３間には、さらに所定の回転トルクを発生するトルク発生器（図示せず）が介在している。
【００２６】
ヒンジ部１６は、ヒンジ軸３４が連結部３２，３３間を回転可能に連結することで、ディスプレイ筐体１２と本体筐体１４との間を相対的に回動可能に連結している。この際、ヒンジ部１６は、各筐体１２，１４の上部同士を連結しているため、筐体１２，１４間は互いの下端面１２ｃ，２２ｂ同士の距離が変化する方向に回動する。つまり筐体１２，１４間は、下向きの姿勢で配置したはさみが開閉するようにヒンジ軸３４を中心として相対的に回動する。
【００２７】
次に、第１脚部２０及び第２脚部２８の具体的な構成例を説明する。図３は、電子機器１０の下部を拡大した側面図である。図４は、第１脚部２０の斜視図である。
【００２８】
図３に示すように、ディスプレイ筐体１２の下端面１２ｃは、前後方向に略平行する前側の第１面３６ａと、第１面３６ａから後方に向かって次第に上に傾斜した第２面３６ｂとで構成されている。各第１脚部２０は、第１面３６ａと第２面３６ｂとに跨る位置に配置され、下端面１２ｃから下方に突出している。
【００２９】
図３及び図４に示すように、第１脚部２０は、載置面１７に対する当接部となるゴム脚部３８と、ゴム脚部３８を支持する取付部３９と、を有する。
【００３０】
ゴム脚部３８は、前壁部３８ａと、後壁部３８ｂと、下壁部３８ｃと、左右の側壁部３８ｄ，３８ｅとで構成されている。前壁部３８ａ及び後壁部３８ｂは、ディスプレイ筐体１２の上下方向と略平行に延在している。下壁部３８ｃは、ゴム脚部３８の下面となる部分である。下壁部３８ｃは、ディスプレイ筐体１２の後面１２ｅから前面１２ａに向かう方向に沿って次第に下方に傾斜した傾斜面で形成されている。ゴム脚部３８は、例えば樹脂製の取付部３９と一体成形される。
【００３１】
取付部３９は、例えばＰＯＭ（ポリアセタール）等の樹脂材料で形成されている。取付部３９は、ゴム脚部３８の内側に挿入固定される支持ブロック３９ａと、支持ブロック３９ａから上方に突出した取付片３９ｂと、を有する。支持ブロック３９ａは、ゴム脚部３８を支持する部分であり、ゴム脚部３８が一体成形で固定されている。取付片３９ｂは、左右に並んだ取付孔３９ｃを有する。第１脚部２０は、ディスプレイ筐体１２に対して取付孔３９ｃを用いてねじ止め固定される。第１脚部２０は、このようにゴム脚部３８を樹脂製の取付孔３９ｃを介してディスプレイ筐体１２に固定する構成としている。これにより例えばゴム脚部３８を直接的に下端面１２ｃに貼り付ける構成等と比べて、ゴム脚部３８の破損や脱落が抑制される。
【００３２】
図３に示すように、本体筐体１４の下端面２２ｂは、前側から後側に向かって次第に下に傾斜した傾斜面である。各第２脚部２８は、下端面２２ｂの前後方向で略中央から、ベース部２２の上下方向と略平行するように下方に突出している。
【００３３】
第２脚部２８は、電子機器１０の正面視で、第１脚部２０の後方に隠れる位置に配置されている。第２脚部２８は、載置面１７に対する当接部となる下面が側面視円弧状の曲面２８ａで形成されている。第２脚部２８は、第１脚部２０の載置面１７に対する当接部であるゴム脚部３８よりも摩擦係数の小さい材質で形成されている。第２脚部２８は、載置面１７上で円滑に摺動可能、且つ耐摩耗性の高い材料で形成される。本実施形態の場合、第２脚部２８は、例えばＰＯＭやＰＴＦＥ（ポリテトラフルオロエチレン）等の自己潤滑性（自己摺動性）を有する樹脂材料で形成されている。詳細な図示は省略するが、第２脚部２８は、図４に示す第１脚部２０の取付部３９と略同様な部品の下面を曲面２８ａで形成したものである。これにより第２脚部２８は、本体筐体１４に対して取付孔３９ｃと同様な取付孔を用いてねじ止め固定される。
【００３４】
次に、ディスプレイ１８の角度変更動作を説明する。図２Ａ及び図２Ｂに示すように、電子機器１０は、各筐体１２，１４を起立させ、全ての脚部２０，２８を載置面１７上に当接させることで、テント状の安定した起立姿勢となる。
【００３５】
図２Ａは、ディスプレイ筐体１２と本体筐体１４との間の回動角度を最も小さくした状態を示しており、例えばディスプレイ筐体１２と本体筐体１４との間の開き角度が略２０度の状態を示している。この状態において、電子機器１０は、ディスプレイ筐体１２及び本体筐体１４が最も起きた起立姿勢となり、ディスプレイ１８の載置面１７に対する起立角度が最大となる。この状態の電子機器１０は、正面から見た場合に、ディスプレイ筐体１２の下に僅かに第１脚部２０が見えてはいるが、実質的にディスプレイ筐体１２の前面１２ａのみが見える。従って、電子機器１０は、ディスプレイ１８に対する高い没入感が得られる。
【００３６】
この際、第１脚部２０は、ゴム脚部３８の前壁部３８ａと下壁部３８ｃとの間の前角部（支点Ｐ）のみで載置面１７に当接している。一方、第２脚部２８は、円弧状の曲面２８ａの外周面が載置面１７に当接している。このため、電子機器１０は、大きな摩擦係数を有する第１脚部２０のゴム脚部３８の摩擦抵抗により、載置面１７上でがたつきなく安定して起立可能である。なお、第２脚部２８は、摺動性の高い曲面２８ａを有するが、テント形状でバランスよく起立した電子機器１０の重量を受けて載置面１７に安定して当接する。
【００３７】
図２Ｂは、ディスプレイ筐体１２と本体筐体１４との間の回動角度を最も大きくした状態を示しており、例えばディスプレイ筐体１２と本体筐体１４との間の開き角度が略４５度の状態を示している。
【００３８】
電子機器１０を図２Ａに示す姿勢から図２Ｂに示す姿勢に変化させる場合、ユーザは、例えば右手と左手とでそれぞれ本体筐体１４の左右側部を把持し、本体筐体１４を後ろに移動させる。そうすると、電子機器１０は、載置面１７上に当接した第１脚部２０の前角部が支点Ｐとなり、これより摩擦係数が小さく且つ円弧状の曲面２８ａを有する第２脚部２８が載置面１７上を後方に摺動する。その結果、電子機器１０は、次第に筐体１２，１４間の角度が拡大しつつ、側面視でテント状の姿勢を維持したまま、図２Ｂに示す角度姿勢まで円滑に変化する。このため、ユーザは、ディスプレイ１８を視認しながら、ディスプレイ１８が所望の角度姿勢になった際に第２脚部２８の摺動を停止することで、ディスプレイ１８を図２Ａから図２Ｂに示す角度範囲の所望の角度姿勢に設定できる。
【００３９】
この際、第１脚部２０の下壁部３８ｃは、後上がりの傾斜面で構成されている。これにより、角度変更動作時、第１脚部２０は常に前角部の支点Ｐが載置面１７に当接し、動作中に下壁部３８ｃの全体が載置面１７に当接することが抑制されている。このため、電子機器１０は、角度変更動作時、常に支点Ｐを中心として本体筐体１４を後ろに滑らすことができる。その結果、電子機器１０は、角度変更動作時に下壁部３８ｃの全面が誤って載置面１７に当接し、支点Ｐの位置がずれてしまい、ディスプレイ筐体１２の下部が載置面１７上で前側に滑ってしまう不都合の発生が抑制される。
【００４０】
図２Ｂに示す状態において、電子機器１０は、ディスプレイ筐体１２及び本体筐体１４が最も寝た起立姿勢となり、ディスプレイ１８の載置面１７に対する起立角度が最小となる。この状態の電子機器１０も、正面から見た場合に、ディスプレイ筐体１２の下に僅かに第１脚部２０が見えてはいるが、実質的にディスプレイ筐体１２の前面１２ａのみが見える。つまり電子機器１０は、ディスプレイ１８の角度姿勢に関わらず、ディスプレイ１８に対する高い没入感が得られる。
【００４１】
この際、第１脚部２０は、支点Ｐ（又は下壁部３８ｃの略全面）で載置面１７に当接する。一方、第２脚部２８は、円弧状の曲面２８ａの外周面が載置面１７に当接する。このため、この場合にも、電子機器１０は、大きな摩擦係数を有する前側の第１脚部２０のゴム脚部３８の摩擦抵抗により、載置面１７上でがたつきなく安定して起立可能である。
【００４２】
なお、第１脚部２０と第２脚部２８とを互いに入れ替えて、ディスプレイ筐体１２に第２脚部２８を設け、本体筐体１４に第１脚部２０を設けた構成としてもよい。この場合、角度変更動作時には、ディスプレイ筐体１２を手前側に引き寄せ、その下端面１２ｃに設けた第２脚部２８を載置面１７上で前側に摺動させればよい。但し、電子機器１０（ディスプレイ筐体１２）の手前側には、通常、キーボード装置やマウス等の物品が配置される。そこで、図２Ａ及び図２Ｂに示す構成例のように、ディスプレイ筐体１２の前後方向位置は第１脚部２０の支点Ｐで移動させず、後側の本体筐体１４を摺動させる構成とした方が、角度変更動作時にディスプレイ筐体１２がキーボード装置等に干渉することがなく好ましい。
【００４３】
以上のように、本実施形態の電子機器１０は、ディスプレイ筐体１２と本体筐体１４との間を、互いの下端面１２ｃ，２２ｂ同士の距離が変化する方向に回動可能に連結したヒンジ部１６と、ディスプレイ筐体１２の下端面１２ｃに設けられた第１脚部２０と、本体筐体１４の下端面２２ｂに設けられ、第１脚部２０と摩擦係数が異なる材質で形成された第２脚部２８と、を備える。
【００４４】
従って、当該電子機器１０は、摩擦係数の大きな一方の脚部（例えば第１脚部２０）を支点とし、摩擦係数の小さな他方の脚部（例えば第２脚部２８）を載置面１７上で摺動させることで、ディスプレイ１８の角度を容易に変更できる。この際、電子機器１０では、ディスプレイ１８の調整角度に関わらず、ディスプレイ筐体１２が第１脚部２０のみを介して略直接的に載置面１７上に当接配置され、ユーザの視界にスピーカ装置３０等が入ることがない。このため、電子機器１０は、ディスプレイ１８に対する没入感を高めることができる。
【００４５】
当該電子機器１０では、手前側のディスプレイ筐体１２よりも後側の本体筐体１４の重量が大きい。このため、電子機器１０は、載置面の揺れ等でディスプレイ筐体１２が前側に傾いた場合であっても、そのままディスプレイ１８が下になって手前側に転倒することが抑制されている。しかも重量物である本体筐体１４が、軽量なディスプレイ筐体１２よりも背が低いため、重心が下がり、起立時の安定性が一層向上する。また、電子機器１０では、第１脚部２０の支点Ｐがディスプレイ筐体１２の下端面１２ｃの前後方向で中央よりも前側にあることで、手前側への転倒が一層抑制されている。
【００４６】
当該電子機器１０では、スピーカ装置３０をディスプレイ筐体１２の後ろに隠される膨出部２３の側面２３ａに配置している。これによりスピーカ装置３０が、ディスプレイ１８に対する没入感の妨げとなることがなく、また音の出力方向には障害がないため、良好な音質が期待できる。なお、電子機器１０は、本体筐体１４側に搭載したスピーカ装置３０に代えて、図１中に２点鎖線で示す一対のスピーカ装置３０Ａを用いてもよい。各スピーカ装置３０Ａは、ディスプレイ１８の背面に前向きで搭載され、ディスプレイ１８を通して音を前方に出力するものである。このようなスピーカ装置３０Ａを用いることでも、スピーカ装置３０Ａがディスプレイ１８に対する没入感の妨げとなることを防止できる。
【００４７】
当該電子機器１０では、図２Ａ及び図２Ｂに示すように、その角度姿勢に関わらず、常に上部が後ろに倒れた角度姿勢となるディスプレイ筐体１２の側面１２ｄに光学ドライブ装置２１を設けている。このため、光学ドライブ装置２１は、ディスクの出し入れ時に常に記録面が斜め上方を向いた姿勢となる。その結果、光学ドライブ装置２１でディスクの再生不良等を生じることを抑制できる。
【００４８】
なお、本発明は、上記した実施形態に限定されるものではなく、本発明の主旨を逸脱しない範囲で自由に変更できることは勿論である。
【００４９】
上記では、脚部２０，２８は、左右一対設けた構成を例示したが、それぞれ３個以上設けてもよい。また、脚部２０，２８は、左右方向に延在する長尺な１本の棒状に構成されてもよい。
【符号の説明】
【００５０】
１０  電子機器
１２  ディスプレイ筐体
１２ｃ，２２ｂ  下端面
１４  本体筐体
１６  ヒンジ部
１８  ディスプレイ
２０  第１脚部
２２  ベース部
２３  膨出部
２４  電子基板
２８  第２脚部
３０，３０Ａ  スピーカ装置
【図１】
0006986058.tif 000002
【図２Ａ】
0006986058.tif 000003
【図２Ｂ】
0006986058.tif 000004
【図３】
0006986058.tif 000005
【図４】
0006986058.tif 000006